(57)【特許請求の範囲】
【請求項１】
屋上の床材にコンクリート系パネルを用いている既存の鉄骨住宅の屋上に建築部材を取り付けるための建築部材取付用金物であって、
筒状体の下部にその外周一方向に延出された板状体を有し、該板状体の延出端近傍に設けられたボルト穴を介して既存梁の上部フランジの片側上面にボルト固定される梁取付部材と、
前記筒状体の上部に前記板状体とは異なる方向に延出され、この延出端近傍に設けられたボルト穴を介してコンクリート系パネルの上面にボルト固定される床取付部材と、
前記筒状体に螺合接続され、上部に建築部材取付部を有する建築部材取付部材と、
からなることを特徴とする建築部材取付用金物。
【請求項２】
前記床取付部材は、前記板状体の延出方向に対して９０度以上１７０度以下の方向に延出されていることを特徴とする請求項１に記載の建築部材取付用金物。
【請求項３】
前記床取付部材は、前記筒状体に高さ調節可能に取り付けられていることを特徴とする請求項１に記載の建築部材取付用金物。
【請求項４】
請求項１乃至３のいずれかに記載の建築部材取付用金物を用いた建築部材取付構造であって、
既存梁の上方の屋上床構成材が取り除かれた開口部を貫通して、前記既存梁の上部フランジの片側上面に前記梁取付部材がボルト固定され、
前記開口部に近接する床材の上面に前記床取付部材がボルト固定され、
前記梁取付部材の筒状体に螺合接続された建築部材取付部材の建築部材取付部に、建築部材取付手段が設けられていることを特徴とする建築部材取付構造。
【請求項５】
梁取付部材と建築部材取付部材とを有する建築部材取付用金物を用いた建築部材取付方法であって、
既存梁の上方の屋上床構成材に開口部を設ける工程と、
前記開口部を貫通して、前記既存梁の上部フランジに前記梁取付部材をボルト固定する工程と、
前記梁取付部材の筒状体に前記建築部材取付部材を螺合接続する工程と、
を有することを特徴とする建築部材取付方法。
【発明の詳細な説明】
【技術分野】
【０００１】
本発明は、既存建物の屋根（屋上、ベランダ）に、例えば手摺、太陽発電機、物置等の建築部材を取り付けるための金物、さらにはこれを用いた建築部材取付構造及び建築部材取付方法に関する。
【背景技術】
【０００２】
例えば屋上利用をしていないフラット屋根を持つ既存住宅の屋根（屋上、ベランダ）に手摺を取り付けることにより、屋上利用が図れるようになり、眺望や、洗濯物の干し場などとしての利用価値を高めることができる。また、近時では地球温暖化対策としての屋上緑化の社会的ニーズが高まっており、将来的には屋上非利用の既存建物の屋上を利用できるように改築するケースが多くなるものと予想される。
【０００３】
屋上非利用の建物に屋上手摺を安全性能を充分確保して取り付けるためには、建物本体に強固に止めつける必要があり、例えば鉄骨構造の建物においては、骨組みの鉄骨梁などに止めつけることにより、手摺の強度が確保される。
【０００４】
従前は、新規に手摺を取り付けるために、屋上にコンクリートで土台を作り、その重みで手摺が転倒しないようにする工法があった。しかしながら、この工法は、建物本体の構造体に手摺を緊結しているものではなく、コンクリートの土台を単に防水層の上に置いてあるのみであった。そのため、手摺がぐらぐらする、また大きな力がかかると、動いてしまうなどの欠点があった。
【０００５】
また、既存建物の屋上に新規に手摺を設置する方法については幾つかの工法が提案されている。例えば特許文献１には、あらかじめ、手摺を後設置する際に用いる埋込連結体を躯体に結合しておく提案がなされている。
【０００６】
【特許文献１】特開平８−２６０６４２号公報
【発明の開示】
【発明が解決しようとする課題】
【０００７】
特許文献１に記載の工法によれば、簡易に且つ十分な支持構造で既存建物の屋上に新規に手摺を設置することが可能である。
【０００８】
しかしながら、特許文献１に記載の工法では、以下のような問題が生じていた。
（１）既存梁のセンターに埋込連結体を固定しているため、手摺の形状によっては、既存梁に接するようにして上部に延出されているパラペットが邪魔になり、手摺を取り付けることができない場合があった。
（２）図９に示すように、屋上の床材としてコンクリート系パネル９１を用いたフラット屋根では、コンクリート系パネル９１の吹上げ防止のために、パネル９１の側面に吹上げ防止突起９２を設け、この吹上げ防止突起９２に係合する吹上げ防止鉄筋９３を仕込むことが行われている。このようなフラット屋根では、通常、吹上げ防止鉄筋９３は梁９４のセンター付近に位置するため、既存梁のセンターに埋込連結体を固定しょうとすると、吹き上げ防止構造を破損してしまう。
【０００９】
本発明は、以上のような問題点に着目してなされたもので、既存の鉄骨住宅の屋上の床に手摺、太陽発電機、物置等の建築部材を取り付ける場合において、上記のようなパラペットや吹上げ防止鉄筋を回避しつつ、簡易に且つ十分な支持構造で建築部材を取り付けることが可能な建築部材取付用金物、さらにはこれを用いた建築部材取付構造及び建築部材取付方法を提供することを目的とするものである。
【課題を解決するための手段】
【００１０】
上記の目的を達成すべく成された本発明は、以下の構成を有するものである。
【００１１】
すなわち、本発明の建築部材取付用金物は、屋上の床材にコンクリート系パネルを用いている既存の鉄骨住宅の屋上に建築部材を取り付けるための建築部材取付用金物であって、
筒状体の下部にその外周一方向に延出された板状体を有し、該板状体の延出端近傍に設けられたボルト穴を介して既存梁の上部フランジの片側上面にボルト固定される梁取付部材と、
前記筒状体の上部に前記板状体とは異なる方向に延出され、この延出端近傍に設けられたボルト穴を介してコンクリート系パネルの上面にボルト固定される床取付部材と、
前記筒状体に螺合接続され、上部に建築部材取付部を有する建築部材取付部材と、
からなることを特徴とする。
また、前記床取付部材は、前記板状体の延出方向に対して９０度以上１７０度以下の方向に延出されていることを特徴とする。
また、前記床取付部材は、前記筒状体に高さ調節可能に取り付けられていることを特徴とする。
【００１２】
また、本発明の建築部材取付構造は、上記本発明の建築部材取付用金物を用いた建築部材取付構造であって、
既存梁の上方の屋上床構成材が取り除かれた開口部を貫通して、前記既存梁の上部フランジの片側上面に前記梁取付部材がボルト固定され、
前記開口部に近接する床材の上面に前記床取付部材がボルト固定され、
前記梁取付部材の筒状体に螺合接続された建築部材取付部材の建築部材取付部に、建築部材取付手段が設けられていることを特徴とする。
【００１３】
また、本発明の建築部材取付方法は、梁取付部材と建築部材取付部材とを有する建築部材取付用金物を用いた建築部材取付方法であって、
既存梁の上方の屋上床構成材に開口部を設ける工程と、
前記開口部を貫通して、前記既存梁の上部フランジに前記梁取付部材をボルト固定する工程と、
前記梁取付部材の筒状体に前記建築部材取付部材を螺合接続する工程と、
を有することを特徴とする。
【発明の効果】
【００１４】
本発明の建築部材取付用金物、建築部材取付構造及び建築部材取付方法によれば、内装を傷つけることなく、屋上からのみの施工で火気も使わずに簡易に手摺、太陽発電機、物置等の建築部材を取り付けることができる。
また、既存梁にボルト固定される梁取付部材の板状体は、筒状体の外周一方向に延出されているため、梁取付部材の筒状体及びこれに螺合接続される建築部材取付部材を既存梁のセンターから離れた状態で設置することができる。このため、パラペットが既存梁に近接して上部に延出している場合にも、建築部材の形状に関わらずパラペットを回避して建築部材を取り付けることができる。従って、手摺を取り付けるのに有利である。
また、既存梁の上部フランジの片側上面に梁取付部材をボルト固定するため、既存梁のセンター付近に吹上げ防止鉄筋が仕込まれている場合であっても、吹上げ防止鉄筋を避けて梁取付部材を据え付けるための開口部を屋上床構成材に設けることができ、既存の吹上げ防止構造を破損することなく建築部材を設置することができる。
さらに、コンクリート系パネルにも床取付部材がボルト固定されるため、梁取付部材の既存梁への固定位置と、建築部材取付部材が螺合接続される筒状体のセンター位置が偏芯しているにもかかわらず、十分な支持構造で建築部材を取り付けることができる。
【００１５】
また、床取付部材が板状体の延出方向に対して９０度以上１７０度以下の方向に延出されている場合には、コンクリート系パネルの繋ぎ目部分（目地部分）に梁取付部材が位置していても、この繋ぎ目部分を避けつつ床取付部材をコンクリート系パネルに強固に固定することができ、あらゆる場所に十分な支持構造で建築部材を取り付けることができる。
【００１６】
また、床取付部材が筒状体に高さ調節可能に取り付けられている場合には、同じ（標準化された）建築部材取付用金物を、厚みの異なるコンクリート系パネルを使用している既存建物にも用いることができ、汎用性が高い。
【発明を実施するための最良の形態】
【００１７】
以下、建築部材として手摺を鉄骨住宅の屋上に取り付ける場合を例に挙げ、本発明の実施形態例を図面に基づいて説明するが、本発明はかかる形態例に限定されるものではない。
【００１８】
図１は本発明の一実施形態例に係る手摺（建築部材）取付用金物１０を示す斜視図、図２は手摺取付用金物の梁取付部材と床取付部材の連結状態を示す上面図である。
【００１９】
本例の手摺取付用金物１０は、梁取付部材１１、床取付部材１２、及び手摺（建築部材）取付部材１３からなる。
【００２０】
梁取付部材１１は、内側にネジが切られている筒状体１１ａと、この筒状体１１ａの下部にその外周一方向に延出されている板状体１１ｂと、補強材１１ｃからなる。また、板状体１１ｂの延出端近傍には２つのボルト穴１１ｄが設けられている。
【００２１】
床取付部材１２は、筒状体１１ａの上部に板状体１１ｂとは異なる方向に延出されており、この延出端近傍にはボルト穴１２ａが設けられている。なお、本例の床取付部材１２は、板状体１１ｂの延出方向に対して１３５度の方向に延出されている。
【００２２】
手摺取付部材１３は、筒状体１１ａの内側に螺合接続するためにネジが切られている支柱１３ａと、支柱１３ａの上部に固定された手摺（建築部材）取付部１３ｂからなる。手摺取付部１３ｂは、４つのボルト穴１３ｃが設けられた円板状のものである。
【００２３】
次に、本例の手摺取付用金物１０を用いた手摺（建築部材）取付方法を図面に基づいて説明する。図３は本例の手摺取付用金物１０を既存の鉄骨住宅の屋上に取り付けた状態を示す平面図、図４は図３中のＡ−Ａ’断面図である。
【００２４】
本例の手摺取付方法は、既存梁の上方の屋上床構成材に開口部を設ける工程と、前記開口部を貫通して、既存梁の上部フランジの片側上面に梁取付部材１１をボルト固定する工程と、前記開口部に近接する床材の上面に床取付部材１２をボルト固定する工程と、梁取付部材１１の筒状体１１ａに手摺取付部材１３を螺合接続する工程と、手摺取付部材１３の手摺取付部１３ｂに手摺もしくは手摺取付手段を設ける工程と、を有している。
【００２５】
まず、既存梁３１の上方の屋上床構成材３２の一部を切り欠き撤去する。撤去は屋外（屋上）から、ホルソーなどの穴あけ機械により屋上床構成材３２の材料群（本例では、防水層３３と、断熱層３４と、ＡＬＣパネルやＰＣパネル等のコンクリート系パネル３５からなる。）を一挙に撤去する事が可能である。屋上床構成材３２が取り除かれた開口部３６では、既存梁３１は屋上に露出することになり、屋上から既存梁３１の上フランジ３１ａの片側（外壁３７から遠い側）に、梁取付部材１１を固定するためのボルト穴を穿つことが可能である。なお、既存梁３１の上フランジ３１ａに既存のボルト穴がある場合はその穴を利用することができる。
【００２６】
また、コンクリート系パネル３５に床取付部材１２をボルト固定できるように、床取付部材１２が配置される部分の防水層３３と断熱層３４を撤去すると共に、この撤去部分のコンクリート系パネル３５にボルト穴３８をあけておく。
【００２７】
次に、既存梁３１の上フランジ３１ａに設けたボルト穴と、板状体１１ｂに設けられているボルト穴１１ｄを利用し、開口部３６を貫通して、既存梁３１の上フランジ３１ａの片側上面に梁取付部材１１をワンサイドボルト３９により固定する。また、コンクリート系パネル３５に設けたボルト穴３８と、床取付部材１２に設けられているボルト穴１２ａを利用し、コンクリート系パネル３５の上面に床取付部材１２をワンサイドボルト４０により固定する。このように、一方向から締め付け施工が可能なワンサイドボルトを用いることにより、屋上から簡単に作業を進めることができる。
【００２８】
次に、梁取付部材１１の筒状体１１ａに手摺取付部材１３を螺合接続する。この時、手摺の仕様等に応じて、手摺取付部１３ｂの高さを調整する。
【００２９】
最後に、撤去した屋上床構成材３２を復旧し、防水層３３を手摺取付部材１３の支柱１３ａにも延長し防水を完全なものとした後、手摺取付部材１３の手摺取付部１３ｂに設けられている手摺取付手段であるボルト穴を利用して手摺をボルト固定する（これらは不図示）。
【００３０】
このように、梁取付部材１１の既存梁３１への固定位置と、手摺取付部材１３が螺合接続される筒状体１１ａのセンター位置が偏芯しているため構造的に不安定になりやすいものの、本発明においては、コンクリート系パネル３５にも床取付部材１２がボルト固定されるため、十分な支持構造で追加手摺を取り付けることができる。
【００３１】
また、既存梁３１にボルト固定される梁取付部材１１の板状体１１ｂは、筒状体１１ａの外周一方向に延出されているため、梁取付部材１１の筒状体１１ａ及びこれに螺合接続される手摺取付部材１３を既存梁３１のセンターから離れた状態で設置することができる。このため、パラペットが既存梁３１に近接して上部に延出している場合にも、手摺の形状に関わらずパラペットを回避して手摺を取り付けることができる。
【００３２】
また、既存梁３１の上部フランジ３１ａの片側に梁取付部材１１をボルト固定するため、既存梁３１のセンター付近に前述したような吹上げ防止鉄筋が仕込まれている場合であっても、吹上げ防止鉄筋を避けて梁取付部材１１を据え付けるための開口部３６を屋上床構成材３２に設けることができ、既存の吹上げ防止構造を破損することなく追加手摺を取り付けることができる。
【００３３】
また、本例のように床取付部材１２が板状体１１ｂの延出方向に対して９０度以上１７０度以下（本例では１３５度）の方向に延出されている場合には、図５に示すように、コンクリート系パネル３５の繋ぎ目５１に梁取付部材１１が位置していても、繋ぎ目５１を避けつつ床取付部材１２をコンクリート系パネル３５に強固に固定することができ、コンクリート系パネルの割付に関わらずあらゆる場所に十分な支持構造で追加手摺を取り付けることができる。一方、上記角度が９０度未満であると床取付部材１２による十分な補強効果が得ずらくなり、１７０度を超えるとコンクリート系パネル３５の繋ぎ目５１に床取付部材１２が重なり易くなり、前記と同様、床取付部材１２による十分な補強効果が得ずらくなる。
【００３４】
また、本例のように既存梁３１の上フランジ３１ａよりも外側まで大きく開口部３６を設けた場合には、例えば図６に示すような特殊座金６１を用いることにより、前記ワンサイドボルトの代わりに一般的なボルト・ナットを用いて梁取付部材１１及び床取付部材１２をそれぞれ既存梁３１及びコンクリート系パネル３５に固定することもできる。この特殊座金６１は内周部分に弾性変形し得る突出片６１ａを有しており、図７に示すように、開口部３６から床下に手を入れて既存梁３１の上フランジ３１ａ及びコンクリート系パネル３５の下側からボルト穴にボルト７１，７２を差し込み、上側から特殊座金６１を装着すると、突出片６１ａによってボルト７１，７２が係止されるため、ボルト７１，７２は脱落することなく装着することができる。このようにしてボルト７１，７２を装着すれば、ワンサイドボルトを用いた時と同様に屋上からの作業だけで、図８に示すように、梁取付部材１１及び床取付部材１２をそれぞれ既存梁３１及びコンクリート系パネル３５に容易にボルト止めすることができる。
【００３５】
また、本発明においては、例えば梁取付部材１１の筒状体１１ａの外側にもネジを切り、この筒状体１１ａに床取付部材１２を螺合接続して、床取付部材１２を筒状体１１ａに高さ調節可能に取り付けることにより、同じ手摺取付用金物を、厚みの異なるコンクリート系パネルを使用している建物にも用いることができる。
【図面の簡単な説明】
【００３６】
【図１】本発明の一実施形態例に係る手摺（建築部材）取付用金物を示す斜視図である。
【図２】図１の手摺取付用金物の梁取付部材と床取付部材の連結状態を示す上面図である。
【図３】図１の手摺取付用金物を既存の鉄骨住宅の屋上に取り付けた状態を示す平面図である。
【図４】図３中のＡ−Ａ’断面図である。
【図５】本発明の手摺取付用金物を既存の鉄骨住宅の屋上に取り付けた状態を示す別の平面図である。
【図６】本発明で用いることができる特殊座金の一例を示す図である。
【図７】図６の特殊座金を用いて梁取付部材及び床取付部材をそれぞれ既存梁及びコンクリート系パネルにボルト止めする方法の説明図である。
【図８】図６の特殊座金を用いて梁取付部材及び床取付部材をそれぞれ既存梁及びコンクリート系パネルにボルト止めする方法の説明図である。
【図９】屋上の床材としてコンクリート系パネルを用いたフラット屋根の吹上げ防止構造を示す図である。
【符号の説明】
【００３７】
１０  手摺（建築部材）取付用金物
１１  梁取付部材
１１ａ  筒状体
１１ｂ  板状体
１１ｃ  補強材
１１ｄ  ボルト穴
１２  床取付部材
１２ａ  ボルト穴
１３  手摺（建築部材）取付部材
１３ａ  支柱
１３ｂ  手摺（建築部材）取付部
１３ｃ  ボルト穴
３１  既存梁
３１ａ  上フランジ
３２  屋上床構成材
３３  防水層
３４  断熱層
３５  コンクリート系パネル
３６  開口部
３７  外壁
３８  ボルト穴
３９、４０  ワンサイドボルト
６１  特殊座金
６１ａ  突出片
７１、７２  ボルト
９１  コンクリート系パネル
９２  吹上げ防止突起
９３  吹上げ防止鉄筋
９４  梁
９５  外壁
９６  防水層
９７  断熱層
【図１】
0004653578.tif 000002
【図２】
0004653578.tif 000003
【図３】
0004653578.tif 000004
【図４】
0004653578.tif 000005
【図５】
0004653578.tif 000006
【図６】
0004653578.tif 000007
【図７】
0004653578.tif 000008
【図８】
0004653578.tif 000009
【図９】
0004653578.tif 000010